(57)【要約】【課題】ネットワーク装置を構築するために必要なスペースを減らすためのネットワーク装置を提供する。【解決手段】このネットワーク装置は、主に本体と、電力モジュールと、ファンモジュールとを備える。本体は、互いに隣接する第１の側面と第２の側面とを備える。前記第１の側面には、外部警報入出力インターフェースと、表示光セット、複数のシリアルＣＯＭポートが配置される。さらに、第１の側面は、第１の開口と第２の開口とを備え、第２の開口は第１の側面と第２の側面との接合部に隣接している。前記第２の側面は第３の開口を備える。電力モジュールは本体から取り外し可能で、前記第１の開口を介して本体の中に組み入れられ本体と電気的に接続される。ファンモジュールは本体から取り外し可能で、前記第２の開口を介して本体の中に組み入れられて本体と電気的に接続され、ファンモジュールの送風方向は、前記第３の開口を向いている。【選択図】図１
2007282179.tif 000002
【特許請求の範囲】
【請求項１】
以下の構成を備えたネットワーク装置：
互いに隣接する第１の側面と第２の側面とを備えた本体；前記第１の側面には、外部警報入出力インターフェースと、表示光セットと、複数のシリアルＣＯＭポートとが配置され、この第１の側面は、第１の開口と第２の開口とを備え、第２の開口は第１の側面と第２の側面との接合部に隣接しており、前記第２の側面は第３の開口を備える；
電力モジュール：この電力モジュールは本体から取り外し可能で、前記第１の開口を介して本体の中に組み入れられ、本体と接続される；
ファンモジュール：このファンモジュールは本体から取り外し可能で、前記第２の開口を介して本体の中に組み入れられ、本体と接続され、このファンモジュールの送風方向は、前記第３の開口を向いている。
【請求項２】
請求項１に記載のネットワーク装置において、
さらに少なくとも一つの拡張モジュールを備え、前記第１の側面は第４の開口を備え、前記拡張モジュールは本体から取り外し可能で、前記第４の開口を介して本体内に組み入れられ、本体と接続される。
【請求項３】
請求項２に記載のネットワーク装置において、
前記拡張モジュールは、デュアルＧＰＯＮモジュール、シングルＧＰＯＮ／ＧＥＰＯＮモジュール、デュアルＧｉｇＥコンボモジュール、シングルＧｉｇＥコンボモジュール、ネットワークプロセッサーモジュール、ＴＤＭモジュールのいずれかである。
【請求項４】
請求項１に記載のネットワーク装置において、
前記電力モジュールは、交流電力または直流電力を供給する。
【請求項５】
請求項１に記載のネットワーク装置において、
前記電力モジュールは、複数の補助電力モジュールからなる。
【請求項６】
請求項１に記載のネットワーク装置において、
このネットワーク装置は、スイッチである。
【請求項７】
請求項６に記載のネットワーク装置において、
前記スイッチは、イーサーネット用スイッチである。
【請求項８】
請求項６に記載のネットワーク装置において、
前記スイッチは、ＦＴＴＨ用スイッチである。
【請求項９】
請求項６に記載のネットワーク装置において、
前記スイッチは、ＶＤＳＬ２用スイッチである。
【請求項１０】
請求項１に記載のネットワーク装置において、
前記シリアルＣＯＭポートは、少なくともＲＪ−４５コネクタ、ＳＣ型光ファイバーコネクタ、ＲＪ−２１コネクタのうちの一つである。
【請求項１１】
請求項１に記載のネットワーク装置において、
このネットワーク装置は、ハブである。
【請求項１２】
ネットワーク装置の製造方法であって、以下のステップを備える：
外部警報入出力インターフェースと、表示光セットと、複数のシリアルＣＯＭポートを、本体の第１の側面に配置する；
第１の開口と第２の開口を前記第１の側面に形成する；
電力モジュールを前記第１の開口を介して本体の中に組み込み、電力モジュールと本体とを電気的に接続する；
本体の前記第１の側面に隣接する第２の側面に第３の開口を形成する；
ファンモジュールを前記第２の開口を介して本体の中に組み込みファンモジュールと本体とを電気的に接続する；この時、ファンモジュールの送風方向が前記第３の開口を向くようにする。
【請求項１３】
請求項１２に記載のネットワーク装置の製造方法において、さらに以下のステップを備える：
前記第１の側面に第４の開口を形成する；
拡張モジュールを前記第４の開口を介して本体の中に組み込み、拡張モジュールと本体とを電気的に接続する。 
【発明の詳細な説明】
【技術分野】
【０００１】
本発明は、ネットワーク装置に関する。より詳細には、特殊な部品配置方式を導入したネットワーク装置に関する。
【背景技術】
【０００２】
従来のネットワーク装置は、主に本体と、電力モジュールと、ファンモジュールと、複数の拡張モジュールとを含む。本体は、互いに対向する正面側面と背面側面とを含む。さらに、本体は、外部警報入出力インターフェースと、表示光セットと、複数のシリアルＣＯＭポートを備え、外部警報入出力インターフェースと、ディスプレイ光セットと、シリアルＣＯＭポートは、正面側面に配置される。背面側面は複数の開口を備える。電力モジュールと、ファンモジュール、拡張モジュールは背面側面の開口を介して本体内に配置され、本体と電気的に接続される。
【０００３】
電力モジュールと拡張モジュールとが開口を介して本体の背面側面に配置されるので、従来のネットワーク装置を使用する際は、使用者は、ネットワーク装置の前に、外部警報入出力インターフェースやシリアルＣＯＭポートと接続された配線を収容するための十分な空間を確保するのに加えて、ネットワーク装置の背面に、電力モジュールや拡張モジュールと接続された電線や配線を収容するための広いスペースを確保しなければならなかった。従って、従来のネットワーク装置の設計においては、従来のネットワーク装置の配線や電力線、また従来のネットワーク装置に接続された配線や電力線を収容するために、広いスペースを手に入れなければならなかった。そのように、従来のネットワーク装置の構造は無駄なスペースをもたらしていた。
【０００４】
さらに、電力モジュールや、ファンモジュール、拡張モジュールが本体の背面側に配置されているので、電力モジュール、ファンモジュール、或いは拡張モジュールを検査したり修理する場合、そのような配置方式は、通常、使用者に修理をしにくくさせていた。
【発明の開示】
【発明が解決しようとする課題】
【０００５】
本発明の目的は、ネットワーク装置を構築するために必要なスペースを減らすためのネットワーク装置を提供することにある。
【０００６】
本発明の別の目的は、修理がし易いネットワーク装置を提供することにある。
【課題を解決するための手段】
【０００７】
本発明は、主に本体と、電力モジュールと、ファンモジュールとを備えたネットワーク装置を提供する。本体は、互いに隣接する第１の側面と第２の側面とを備える。前記第１の側面には、外部警報入出力インターフェースと、表示光セットと、複数のシリアルＣＯＭポートとが配置される。さらに、第１の側面は、第１の開口と第２の開口とを備え、第２の開口は第１の側面と第２の側面との接合部に隣接している。前記第２の側面は第３の開口を備える。電力モジュールは本体から取り外し可能で、前記第１の開口を介して本体の中に組み入れられ、本体と電気的に接続される。ファンモジュールは本体から取り外し可能で、前記第２の開口を介して本体の中に組み入れられ、本体と電気的に接続され、この時、このファンモジュールの送風方向は、前記第３の開口を向いている。
【０００８】
本発明の実施形態におけるネットワーク装置によれば、このネットワーク装置は、さらに少なくとも一つの拡張モジュールを備え、前記第１の側面はさらに第４の開口を備え、前記拡張モジュールは、本体から取り外し可能であり、前記第４の開口を介して本体内に組み入れられ、本体に電気的に接続される。
【０００９】
本発明の実施形態におけるネットワーク装置によれば、前記拡張モジュールは、デュアルＧＰＯＮモジュール、シングルＧＰＯＮ／ＧＥＰＯＮモジュール、デュアルＧｉｇＥコンボモジュール、シングルＧｉｇＥコンボモジュール、ネットワークプロセッサーモジュール、およびＴＤＭモジュールの内の一つである。
【００１０】
本発明の実施形態におけるネットワーク装置によれば、前記電力モジュールは、交流電力または直流電力を供給する。
【００１１】
本発明の実施形態におけるネットワーク装置によれば、前記電力モジュールは、複数の補助電力モジュール（secondary powermodules）からなる。
【００１２】
本発明の実施形態におけるネットワーク装置によれば、このネットワーク装置は、イーサーネット用スイッチ、ＦＴＴＨ（fiber-to-the-home）用スイッチ、ＶＤＳＬ２（very-high-bit-rate digitalsubscriber line 2）用スイッチ、或いは他の種類のスイッチのうちの一つである。
【００１３】
本発明の実施形態におけるネットワーク装置によれば、前記シリアルＣＯＭポートは、ＲＪ−４５コネクタ、ＳＣ型光ファイバーコネクタ、ＲＪ−２１コネクタのうちの少なくとも一つである。
【００１４】
本発明の実施形態におけるネットワーク装置によれば、このネットワーク装置は、ハブである。
【００１５】
このネットワーク装置の電力モジュール、およびファンモジュール、外部警報入出力インターフェース、表示光セット、シリアルＣＯＭポートは、ネットワーク装置の同じ面に配置されるので、本発明は、従来技術と比較して、ネットワーク装置の構築に必要なスペースを減らすことができる。
【００１６】
本発明の上述のおよび他の事項、特徴、利点をより理解するために、以下図面を参照しながら、好ましい実施形態について述べる。
【発明を実施するための最良の形態】
【００１７】
図１は、本発明の実施形態に係るネットワーク装置の概略図である。図１を参照すると、ネットワーク装置１００は、主に本体１１０と、電力モジュール１２０と、ファンモジュール１３０とを含む。本体１１０は、互いに隣接した第１の側面１１０ａと第２の側面１１０ｂとを含む。第１の側面１１０ａには、外部警報入出力インターフェース１１２と、表示光セット１１４と、複数のシリアルＣＯＭポート１１６が配置され、表示光セット１１４は複数の表示ライト１１４ａからなり、シリアルＣＯＭポート１１６はＲＪ−４５コネクタである。第１の側面１１０ａは、第１の開口Ｐ１と第２の開口Ｐ２を有し、第２の開口Ｐ２は、第１の側面１１０ａと第２の側面１１０ｂとの接合部に隣接している。第２側面１１０ｂは、第３の開口Ｐ３を有する。本実施形態においては、このネットワーク装置１００は、例えばスイッチであり、より詳細には、イーサーネットスイッチである。
【００１８】
電力モジュール１２０は本体から取り外し可能であり、第１の開口Ｐ１を介して本体１１０の中に組み込まれ本体１１０に電気的に接続される。電力モジュール１２０は、複数の補助電力モジュールから構成することができる。例えば、本実施形態においては、電力モジュール１２０は、補助電力モジュール１２０ａと、補助電力モジュール１２０ｂと、補助電力モジュール１２０ｃとからなり、各補助電力モジュール１２０ａ〜１２０ｃは、直流電流あるいは交流電流を出力することができる。換言すれば、本実施形態の通り、電力モジュール１２０が複数の補助電力モジュール（例えば、１２０ａ〜１２０ｃ）から構成されるとき、電力モジュール１２０は、電源出力の種類を適切に組み合わせることによって、補助電力モジュール（例えば、１２０ａ〜１２０ｃ）により、交流電流か直流電流のいずれか、或いは交流電流と直流電流の両方を同時に出力することができる。
【００１９】
好ましくは、電力モジュール１２０ａ〜１２０ｃは、さらにホットプラグ機能を備える。そのような場合、使用者は、ネットワーク装置１００が稼働中に、電力モジュール１２０ａ〜１２０ｃを取り外し、交換することができる。さらに、本実施形態の電力モジュール１２０は、複数の補助電力モジュールを備えるものに限定されるのではなく、本発明の他の実施形態においては、電力モジュール１２０は交流電流或いは直流電流のみを提供する一つの電源供給装置であってもよい。
【００２０】
ファンモジュール１３０は本体から取り外し可能であり、第２の開口Ｐ２を介して本体１１０の中に組み込まれ本体１１０に電気的に接続される。ファンモジュール１３０は第３の開口Ｐ３へ送風する。第２の開口Ｐ２は第１の側面１１０ａと第２の側面１１０ｂとの接合部に隣接しているおり、またファンモジュール１３０は、第３の開口Ｐ３に向かって送風するので、本体１１０が稼働中のとき、ファンモジュール１３０は第３の開口Ｐ３を介して本体１１０の中の熱（熱風）を排出することができる。
【００２１】
さらに、本体１１０の機能を拡張するため、或いは本体１１０の性能を向上させるため、本実施形態のネットワーク装置１００は、さらに、デュアルＧＰＯＮモジュール、シングルＧＰＯＮ／ＧＥＰＯＮモジュール、デュアルＧｉｇＥコンボモジュール、シングルＧｉｇＥコンボモジュール、ネットワークプロセッサーモジュール、ＴＤＭモジュールのうちの一つである少なくとも一つの拡張モジュール１４０を備える。ネットワーク装置１００が拡張モジュール１４０を備えるとき、第１の側面１１０ａはそれに対応する第４の開口Ｐ４を備える。拡張モジュール１４０は本体から取り外し可能であり、第４の開口Ｐ４を介して本体１１０の中に組み込まれ本体１１０に電気的に接続される。
【００２２】
さらに、本発明の図１のネットワーク装置１００はイーサーネットスイッチであるが、それに限定されるものではない。例えば、図２に示すように、シリアルＣＯＭポート１１６がＳＣ型光ファイバーコネクタの場合、ネットワーク装置１０１はＦＴＴＨスイッチである。また、図３に示すように、シリアルＣＯＭポート１１６がＲＪ−２１コネクタの場合、ネットワーク装置１０２はＶＤＳＬ２スイッチである。もちろん、本発明の他の実施形態においては、シリアルＣＯＭポート１１６は、同時に２種類以上のタイプのコネクタであってもよい。例えば、シリアルＣＯＭポート１１６は、ＳＣ型光ファイバーコネクタとＲＪ−２１コネクタとからなる。
【００２３】
ここで、本発明の外部警報入出力インターフェース１１２と表示光セット１１４とシリアルＣＯＭポート１１６と電力モジュール１２０とファンモジュール１３０との相対位置は図１のものに限定されないことに注意すべきである。例えば、図４は、本発明の他の実施形態に係るネットワーク装置の概略図である。ネットワーク装置１０３とネットワーク装置１００との主な違いは、表示光セット１１４と、シリアルＣＯＭポート１１６、電力モジュール１２０、ファンモジュール１３０の相対位置が異なる点にある。換言すれば、本発明の主な精神の一つは、外部警報入出力インターフェース１１２と表示光セット１１４、シリアルＣＯＭポート１１６、電力モジュール１２０、ファンモジュール１３０がネットワーク装置１００の同じ側面に配置されていることである。この分野の通常の知識を有する者であれば、本発明の精神から離れることなしに、外部警報入出力インターフェース１１２、表示光セット１１４、シリアルＣＯＭポート１１６、電力モジュール１２０、ファンモジュール１３０の相対位置を実際に調整することができる。もちろん、この分野の通常の知識を有する者であれば、図１の第３の開口Ｐ３の形状を、図４の第３の開口Ｐ３の形状やその他の形状に変更することも可能であるが、ここでは詳細については記載しない。
【００２４】
さらに、図４では、ファンモジュール１３０が引き出された状態にある。ファンモジュール１３０のファンの数は本実施形態のものに限定されない点に注意すべきであり、本発明の他の実施形態においては、ファンモジュール１３０は、単一のファン、もしくは２個以上のファンからなっていてもよい。
【００２５】
図５は、本発明の実施形態に係るネットワーク装置の製造方法を説明するフローチャートである。図５を参照すると、このネットワーク装置の製造方法は以下のステップのように説明される。ステップＳ１では、外部警報入出力インターフェースと、表示光セットと、複数のシリアルＣＯＭポートが、本体の第１の側面に配置される。ステップＳ２では、第１の開口と第２の開口が第１の側面に形成される。ステップＳ３では、電力モジュールが第１の開口を介して本体の中に組み込まれ、電力モジュールと本体とが電気的に接続される。ステップＳ４では、本体の第１の側面に隣接する第２の側面に第３の開口が形成される。ステップＳ５では、ファンモジュールが第２の開口を介して本体の中に組み込まれ、ファンモジュールと本体とが電気的に接続され、ファンモジュールの送風方向が第３の開口を向くように設定される。ステップＳ６では、第４の開口が第１の側面に形成される。ステップＳ７では、拡張モジュールが第４の開口を介して本体の中に組み込まれ、拡張モジュールと本体とが電気的に接続される。
【００２６】
上述のように、本発明の外部警報入出力インターフェースと、表示光セット、シリアルＣＯＭポート、電力モジュール、ファンモジュールは、ネットワーク装置の同一側面に配置されるので、ネットワーク装置を構築する際に、使用者は、電力モジュールや外部警報入出力インターフェース、シリアルＣＯＭポートと接続された電力線や配線を収容するための十分なスペースをネットワーク装置の前に確保するだけでよい。従って、従来技術と比較して、本発明はネットワーク装置の後方に電力モジュールと接続された電気配線を収容するための余分なスペースを必要とせず、その結果、本発明は、ネットワーク装置を構築するために必要なスペースを減らすことができる。
【００２７】
さらに、本発明の外部警報入出力インターフェース、および表示光セット、複数のシリアルＣＯＭポート、電力モジュール、ファンモジュールは、ネットワーク装置の同一面に配置されており、また電力モジュールやファンモジュールは本体に取り外し可能に組み込まれているので、本発明は、従来技術よりもより修理がし易い。
【００２８】
本発明は好ましい実施形態によって上記に開示されているが、それらは本発明を限定するものではない。この分野において知識を有する者であれば誰でも本発明の精神や範疇から離れることなく、修正や変形をほどこすことが可能である。従って、本発明の保護される範囲は、特許請求の範囲によって決まる。
【図面の簡単な説明】
【００２９】
【図１】本発明の実施形態に係るネットワーク装置の概略図である。
【図２】本発明の別の実施形態に係るネットワーク装置の概略図である。
【図３】本発明のさらに別の実施形態に係るネットワーク装置の概略図である。
【図４】本発明のさらに別の実施形態に係るネットワーク装置の概略図である。
【図５】本発明の実施形態に係るネットワーク装置の製造方法を説明するフローチャートである。
【図１】
2007282179.tif 000003
【図２】
2007282179.tif 000004
【図３】
2007282179.tif 000005
【図４】
2007282179.tif 000006
【図５】
2007282179.tif 000007
【外国語明細書】
2007282179.tif 000008
2007282179.tif 000009
2007282179.tif 000010
2007282179.tif 000011
2007282179.tif 000012
2007282179.tif 000013
2007282179.tif 000014
2007282179.tif 000015
2007282179.tif 000016
2007282179.tif 000017
2007282179.tif 000018
2007282179.tif 000019
2007282179.tif 000020
2007282179.tif 000021
2007282179.tif 000022
2007282179.tif 000023
2007282179.tif 000024
2007282179.tif 000025